(57)【要約】【課題】前面板Ｗに設けられた開口部２に対して簡単かつ適切に配置できる平面スイッチ１を提供することを目的とする。【解決手段】本発明の平面スイッチは、前面板Ｗに設けられた開口部２に設置される平面スイッチであって、センサユニット２０と、センサユニット２０を開口部２に対して取り付けるフレーム部３０と、フレーム部３０を前面板Ｗに固定する固定部材４０と、を備え、フレーム部３０は、前面板Ｗの裏側における開口部２の縁部に対して固定部材４０で固定される。【選択図】          図１６
2018028997.tif 000002
【特許請求の範囲】
【請求項１】
前面板に設けられた開口部に設置される平面スイッチであって、
センサユニットと、
前記センサユニットを前記開口部に対して取り付けるフレーム部と、
前記フレーム部を前記前面板に固定する固定部材と、を備え、
前記フレーム部は、前記前面板の裏側における前記開口部の縁部に対して前記固定部材で固定される
ことを特徴とする平面スイッチ。
【請求項２】
前記フレーム部は、
前記開口部の縁部に当接する枠体と、
前記枠体から前記開口部の奥側に延びるアーム部と、
前記アーム部から前記前面板とほぼ平行に前記開口部の中央側に延在する受け部と、
前記受け部上に設けられ、前記センサユニットを前記開口部側に付勢する付勢部と、
前記開口部に対する前記センサユニットの位置を調節自在に、前記センサユニットを前記付勢部の付勢力に抗して前記受け部に係留する係留部と、を備える
ことを特徴とする請求項１に記載の平面スイッチ。
【請求項３】
前記フレーム部は、
少なくとも前記枠体の対向する辺に一対設けられた前記アーム部と、
それぞれの前記アーム部から延在する前記受け部と、
それぞれの前記受け部上に設けられた前記付勢部と、を備える
ことを特徴とする請求項２に記載の平面スイッチ。
【請求項４】
前記付勢部は、前記受け部に固定される固定部と、前記固定部の両端に設けられた弾性部と、を備える板バネである
ことを特徴とする請求項２又は請求項３に記載の平面スイッチ。
【請求項５】
前記係留部は、
位置決めネジと、
前記受け部に設けられ、前記位置決めネジが螺合される位置決めネジ孔と、を備え、
前記センサユニットには、前記位置決めネジを通す位置決めネジ挿通孔が前記位置決めネジ孔に対応する位置に設けられており、
前記センサユニットの前記開口部に対する位置が、前記位置決めネジの前記位置決めネジ孔に対する螺合量で調節される
ことを特徴とする請求項２から請求項４のいずれか１項に記載の平面スイッチ。
【請求項６】
前記固定部材は固定ネジであり、
前記枠体には、前記固定ネジを螺合させる固定ネジ孔が設けられており、
前記フレーム部は、前記前面板の裏側に配置された前記枠体の前記固定ネジ孔に対して前記前面板の表側から前記固定ネジを螺合させることで前記前面板に固定される
ことを特徴とする請求項２から請求項５のいずれか１項に記載の平面スイッチ。
【請求項７】
前記開口部近傍における前記前面板の表側であって、前記フレーム部に設けられた固定ネジ孔の位置に対応する位置に、前記固定ネジの頭部が収まる座グリ穴が設けられる
ことを特徴とする請求項６に記載の平面スイッチ。
【請求項８】
前記センサユニットは、
センサケースと、
前記センサケース内に収容される表示板と、
前記センサケース内に収容される静電容量センサと、を備える
ことを特徴とする請求項１から請求項７のいずれか１項に記載の平面スイッチ。
【発明の詳細な説明】
【技術分野】
【０００１】
本発明は、平面スイッチに関するものである。
【背景技術】
【０００２】
壁に埋め込まれた状態で取り付けて使用するとともに、壁から取外してリモコンとしても使用可能な照明用スイッチが知られている（特許文献１参照）。
特許文献１の照明用スイッチでは、静電容量センサを用いてスイッチを構成しているのでスイッチ部分が平面である。
【先行技術文献】
【特許文献】
【０００３】
【特許文献１】特開２０１２−０５９５８０号公報
【発明の概要】
【発明が解決しようとする課題】
【０００４】
特許文献１のような静電容量センサを用いたスイッチの場合、スイッチ面を平坦に構成できるので、例えば、建物の前面板（外壁や内壁等において、最も表側にあり、ユーザの目に触れる体裁面を有する板）に設置する場合、スイッチ面を前面板と面一（例えば、スイッチ面と前面板の体裁面が同一平面状）になるように設置できれば、スイッチ面が突出しないため、部屋等の美観を高めることが可能である。
しかしながら、建物の前面板の裏側には少し離れた位置に構造体が存在し、建物の前面板とその構造体との間の距離寸法は建物ごとに様々であるため、スイッチ面が平坦であったとしても、スイッチを前面板の裏側にある構造体に取り付けたときに、必ずしも、スイッチ面が前面板の体裁面と面一になるとは言えない。
このように、スイッチ面が前面板から突出しないように設置することは、スイッチ面が平坦であったとしても、簡単に行えるものではないという問題がある。
したがって、例えば、スイッチ面を、開口部が設けられた前面板の体裁面とほぼ面一にするといったように、開口部に対して適切に配置できる平面スイッチの出現が望まれる。
本発明は、上記事情に鑑みてなされたものであり、開口部に埋め込まれる平面スイッチであって、前面板に設けられた開口部に対して簡単かつ適切に配置できる平面スイッチを提供することを目的とする。
【課題を解決するための手段】
【０００５】
上記目的を達成するために、以下の構成によって把握される。
（１）本発明の平面スイッチは、前面板に設けられた開口部に設置される平面スイッチであって、センサユニットと、前記センサユニットを前記開口部に対して取り付けるフレーム部と、前記フレーム部を前記前面板に固定する固定部材と、を備え、前記フレーム部は、前記前面板の裏側における前記開口部の縁部に対して前記固定部材で固定される。
【０００６】
（２）上記（１）の構成において、前記フレーム部は、前記開口部の縁部に当接する枠体と、前記枠体から前記開口部の奥側に延びるアーム部と、前記アーム部から前記前面板とほぼ平行に前記開口部の中央側に延在する受け部と、前記受け部上に設けられ、前記センサユニットを前記開口部側に付勢する付勢部と、前記開口部に対する前記センサユニットの位置を調節自在に、前記センサユニットを前記付勢部の付勢力に抗して前記受け部に係留する係留部と、を備える。
【０００７】
（３）上記（２）の構成において、前記フレーム部は、少なくとも前記枠体の対向する辺に一対設けられた前記アーム部と、それぞれの前記アーム部から延在する前記受け部と、それぞれの前記受け部上に設けられた前記付勢部と、を備える。
【０００８】
（４）上記（２）又は（３）の構成において、前記付勢部は、前記受け部に固定される固定部と、前記固定部の両端に設けられた弾性部と、を備える板バネである。
【０００９】
（５）上記（２）から（４）のいずれかの構成において、前記係留部は、位置決めネジと、前記受け部に設けられ、前記位置決めネジが螺合される位置決めネジ孔と、を備え、前記センサユニットには、前記位置決めネジを通す位置決めネジ挿通孔が前記位置決めネジ孔に対応する位置に設けられており、前記センサユニットの前記開口部に対する位置が、前記位置決めネジの前記位置決めネジ孔に対する螺合量で調節される。
【００１０】
（６）上記（２）から（５）のいずれかの構成において、前記固定部材は固定ネジであり、前記枠体には、前記固定ネジを螺合させる固定ネジ孔が設けられており、前記フレーム部は、前記前面板の裏側に配置された前記枠体の前記固定ネジ孔に対して前記前面板の表側から前記固定ネジを螺合させることで前記前面板に固定される。
【００１１】
（７）上記（６）の構成において、前記開口部近傍における前記前面板の表側であって、前記フレーム部に設けられた固定ネジ孔の位置に対応する位置に、前記固定ネジの頭部が収まる座グリ穴が設けられる。
【００１２】
（８）上記（１）から（７）のいずれかの構成において、前記センサユニットは、センサケースと、前記センサケース内に収容される表示板と、前記センサケース内に収容される静電容量センサと、を備える。
【発明の効果】
【００１３】
本発明によれば、前面板に設けられた開口部に対して簡単かつ適切に配置できる平面スイッチを提供できる。
【図面の簡単な説明】
【００１４】
【図１】平面スイッチが部屋等の壁内に埋め込まれて設置されている状態を示す斜視図である。
【図２】平面スイッチにおけるカバーが省略された状態を示す斜視図である。
【図３】図２のＡ矢視断面図である。
【図４】センサユニットを示す斜視図である。
【図５】センサユニットを分解して示す斜視図である。
【図６】フレーム部を示す斜視図である。
【図７】フレーム部を分解して示す斜視図である。
【図８】カバーを示す斜視図である。
【図９】カバーを分解して示す斜視図である。
【図１０】（ａ）及び（ｂ）は静電容量センサの電気力線の変化を示す説明図である。
【図１１】前面板の開口部を示す斜視図である。
【図１２】開口部にフレーム部を挿入する様子を示す斜視図である。
【図１３】開口部にフレーム部を位置決めした状態を示す斜視図である。
【図１４】開口部にフレーム部を取り付ける様子を示す斜視図である。
【図１５】開口部にフレーム部を取り付けた状態を示す斜視図である。
【図１６】フレーム部にセンサユニットを挿入する様子を示す斜視図である。
【図１７】フレーム部にセンサユニットを取り付ける様子を示す斜視図である。
【図１８】位置調節されたセンサユニットにカバーを取り付ける様子を示す斜視図である。
【図１９】カバーが取り付けられた平面スイッチを示す斜視図である。
【発明を実施するための形態】
【００１５】
（実施形態）
以下、図面を参照して本発明を実施するための形態（以下、実施形態）について詳細に説明する。なお、実施形態の説明の全体を通して同じ要素には同じ番号を付している。また、以下では、特に説明がない限り、平面スイッチ１が視認できる側を手前側又は表側とし、その反対側を奥側又は裏側とする。
【００１６】
図１は本発明に係る実施形態の平面スイッチ１が部屋等の壁内に埋め込まれて設置されている状態を示す斜視図である。
図１に示すように、平面スイッチ１は、例えば、照明装置の調光や調色等の操作を行うためのスイッチであり、図示しないスイッチ操作のための各部品や前面板Ｗ（体裁面を伴う部屋等の壁）に設けられた開口部２が見えないようするために、開口部２を覆うように設けられるカバー１０を備える。
【００１７】
なお、本実施形態に係る平面スイッチ１は、前面板Ｗが部屋等の壁に埋め込まれて設置されているが、平面スイッチ１の設置場所は、鉛直面に限らず、机の表側面等であってもよい。また、平面スイッチ１の操作の対象とする機器類は、照明装置に限らず、空調設備、家電製品、シャッター又はカーテン等、スイッチ操作を伴うものであればよい。
【００１８】
図２はカバー１０が省略された平面スイッチ１を示す斜視図であり、図３は、図２におけるＡ矢視断面図である。なお、図３においては、センサユニット２０の内部の詳細構造は省略されている。
図２及び図３に示すように、平面スイッチ１は、前面板Ｗに設けられた開口部２に設置されるものであり、センサユニット２０と、センサユニット２０を開口部２に対して取り付けるフレーム部３０（図３参照）と、フレーム部３０を前面板Ｗに固定する固定部材４０と、を備え、フレーム部３０は、前面板Ｗの裏側Ｗ２における開口部２の縁部に対して固定部材４０で固定されている。
【００１９】
図２に示すように、開口部２は、部屋等の壁において、体裁面を伴う最も前面を構成する前面板Ｗに設けられ、縦長の矩形状であり、センサユニット２０の外形状に合わせて、センサユニット２０が収容される形状となっている。
【００２０】
（センサユニット）
まず、センサユニット２０について説明する。
図４はセンサユニット２０を示す斜視図であり、図５はセンサユニット２０を分解して示す斜視図である。
図４及び図５に示すように、センサユニット２０は、センサケース２１と、センサケース２１内に収容される導光板２２（図５参照）と、センサケース２１内に収容される基板スペーサ２３（図５参照）と、センサケース２１内に収容されるセンサ基板２４（図５参照）と、センサケース２１内に収容される電源部２５（図５参照）と、を備える。
【００２１】
図４に示すように、センサケース２１は、図示しない開口部２側に配置されるトップケース２１Ｔと、トップケース２１Ｔに係合されるボトムケース２１Ｂとを備え、トップケース２１Ｔとボトムケース２１Ｂとで、内部に収容空間を形成する。
【００２２】
図５に示すように、トップケース２１Ｔは、全体が略矩形のフレーム状であり、中央に、後述する表示部２２ｄを露出するための矩形状の開口２１Ｔｄが設けられ、周縁部に、後述するスピーカ部を露出するための矩形状の開口２１Ｔｓが設けられる。
また、トップケース２１Ｔは、四隅に、後述する位置決めネジ３５ｍが挿通される位置決めネジ挿通孔２１Ｔｈが設けられ、外周縁に、後述のボトムケース２１Ｂの係止部２１Ｂｆに対して係合する複数の係止部２１Ｔｆが設けられる。
さらに、トップケース２１Ｔは、周縁に、外側に向けて突出し、後述のカバー１０を構成するカバーブラケット１３に設けられた係止爪１３ｊが係止される複数の係止突起２１Ｔｊを備える。
【００２３】
ボトムケース２１Ｂは、外形がトップケース２１Ｔとほぼ同形状となる開口を有し、内部に、センサユニット２０が備える後述する各部品を収容する空間を有する容器状のものであり、金属製の板材を折り曲げることによって形成される。このように、ボトムケース２１Ｂは金属製であるので、衝撃等の荷重や、ノイズ及び落雷等の影響から内部を保護できる。また、ボトムケース２１Ｂは板材を折り曲げることによって形成されるので、センサユニット２０全体を薄く、軽量なものとすることができる。
また、ボトムケース２１Ｂは、四隅に、後述する位置決めネジ３５ｍが挿通される位置決めネジ挿通孔２１Ｂｈが設けられ、外周縁に、トップケース２１Ｔの係止部２１Ｔｆに対して係合する複数の係止部２１Ｂｆが、設けられる。
【００２４】
導光板２２は、中央に表示部２２ｄを有する薄板状のものであり、例えば、アクリル板の表面に対して端面より入れた光を均一に面発光する。
【００２５】
基板スペーサ２３は、例えば、上側に配置される導光板２２と下側に配置される後述のセンサ基板２４との間に空隙を設けるための薄板状のものであり、周縁の上側に配置された両面テープにより、導光板２２の下側に貼り付けられる。
【００２６】
センサ基板２４は、ユーザがスイッチ操作を行った際に操作を検出する検出部となる部分であって、上側面のほぼ全体が静電容量センサ２４ｐとなっており、周縁部に、スピーカ２４ｓと無線装置２４ｒと人感センサ２４ｆとが配置され、静電容量センサ２４ｐ、スピーカ２４ｓ、人感センサ２４ｆ及び無線装置２４ｒと接続される図示しない制御回路を備えている。
【００２７】
静電容量センサ２４ｐについて詳細に説明すると、図１０（ａ）に示すように、静電容量センサ２４ｐは、スイッチ操作のためにユーザが指Ｆを近付ける部分である検出面となる表側２４ａに、ドライブライン６１及びセンターライン６２が設けられ、静電容量センサ２４ｐの裏側２４ｂにグランド６３が設けられる。
【００２８】
そして、図１０（ａ）では、電界の様子を電気力線として矢印で示しているが、ドライブライン６１とセンターライン６２及びグランド６３との間には電解が生じる。
【００２９】
この状態のところに、図１０（ｂ）に示すように、ユーザの指Ｆが近付くと電気力線が指Ｆ側に引っ張られ、センターライン６２への電気力線の本数が減少する。
この電気力線の減少、つまり、静電容量の変化を検知することで、スイッチの操作が行われたか否かを検出する。
【００３０】
なお、静電容量センサ２４ｐを、その他の一般的な他の構成からなる静電容量式のセンサで構成してもよいが、本実施形態のように、電気力線の変化を検知する構成の場合、センサの表面から指Ｆが離れていても、指Ｆが近付くだけで、非接触で検知できるため、例えば、図１に示したカバー１０等を設けても、スイッチ操作を良好に検知できる。このため、静電容量センサ２４ｐは、電気力線の変化を検知するタイプの静電容量式のセンサで構成されることが好ましい。
【００３１】
図５に戻り、電源部２５について説明する。電源部２５は、薄板状の電源基板２５ｗと、電源ケース２５ｃと、図示しない電源とを備えるものである。電源は、導光板２２やセンサ基板２４を駆動する動力を供給するものであって、電源基板２５ｗの下側に配置される。電源ケース２５ｃの内部空間に、電源を備える電源基板２５ｗが収容される。
【００３２】
このようにして、センサケース２１の内部に、導光板２２、基板スペーサ２３、センサ基板２４、電源部２５が内蔵された状態で一体化され、センサユニット２０がサブアセンブリとなる。
【００３３】
（フレーム部）
次に、フレーム部３０について説明する。
図６はフレーム部３０を示す斜視図であり、図７はフレーム部３０を分解して示す斜視図である。
【００３４】
図６及び図７に示すように、フレーム部３０は、図示しない開口部２の縁部に当接する枠体３１と、枠体３１から開口部２の奥側に延びるアーム部３２と、アーム部３２から前面板Ｗとほぼ平行に開口部２の中央側に延在する受け部３３と、受け部３３上に設けられ、センサユニット２０を裏側から表側に向けて開口部２側に付勢する付勢部３４と、開口部２に対するセンサユニット２０の位置を調節自在に、センサユニット２０を付勢部３４の付勢力に抗して受け部３３に係留する係留部３５と、を備える。
【００３５】
また、フレーム部３０は、少なくとも枠体３１の対向する辺に一対設けられたアーム部３２と、それぞれのアーム部３２から延在する受け部３３と、それぞれの受け部３３上に設けられた付勢部３４と、を備える。
フレーム部３０は、センサユニット２０を枠体３１の内側に収める際のガイドとなる、枠体３１から開口部２の奥側に延びるガイド部３９を備える。
【００３６】
付勢部３４は、受け部３３に固定される固定部３７と、固定部３７の両端に設けられた弾性部３８を備える板バネであり、固定部３７は受け部３３のビス用ネジ穴３３ｈに対して二つのビス３７ｖで留められている。
また、付勢部３４は、固定部３７における二つのビス３７ｖ用の通穴３７ｈ（図７参照）の間に、二つの位置決め穴３７ｄが備えられており、受け部３３の中央には、二つの位置決め穴３７ｄに対応する位置に、二つの位置決め突起３３ｄが備えられている。そして、二つの位置決め穴３７ｄに対して二つの位置決め突起３３ｄが嵌まるので、受け部３３に対する付勢部３４の位置決めがしやすく、ビス３７ｖによって受け部３３と付勢部３４とを一体化する際の作業がしやすい。
【００３７】
係留部３５は、位置決めネジ３５ｍ（図２及び図３参照）と、受け部３３に設けられ、位置決めネジ３５ｍが螺合される位置決めネジ孔３５ｆと、を備える。
【００３８】
そして、センサユニット２０には、位置決めネジ３５ｍを通す位置決めネジ挿通孔２１Ｔｈ、２１Ｂｈが位置決めネジ孔３５ｆに対応する位置に設けられており、センサユニット２０の開口部２に対する位置が、位置決めネジ３５ｍの位置決めネジ孔３５ｆに対する螺合量で調節されるようになっている。
【００３９】
枠体３１には、図示しない固定ネジ４０を螺合させる固定ネジ孔３６が周縁部に設けられており、フレーム部３０は、前面板Ｗの裏側Ｗ２に配置された枠体３１の固定ネジ孔３６に対して、前面板Ｗの表側Ｗ１から前面板Ｗを貫通して固定ネジ４０を螺合させることで前面板Ｗに固定されている。
【００４０】
フレーム部３０を構成する枠体３１とアーム部３２と受け部３３とガイド部３９は、次のように形成する。
例えば、金属製の平らな板材から切り抜き又は打ち抜きによって所定の形状を形成し、固定ネジ孔３６及び位置決めネジ孔３５ｆの下穴を打ち抜きによって設け、その下穴にネジ加工をしてから、枠体３１となる部分を基準としてアーム部３２、受け部３３及びガイド部３９をそれぞれ折り曲げて形成する。
【００４１】
これにより、フレーム部３０の製作が容易となる。なお、フレーム部３０の製作はこれに限らず、フレーム部３０を構成する枠体３１やアーム部３２や受け部３３やガイド部３９を個別に形成し、その後で互いを溶接等で適宜結合してもよい。
【００４２】
このようにして、枠体３１、アーム部３２、受け部３３及び付勢部３４が一体化され、フレーム部３０がサブアセンブリとなる。
【００４３】
（カバー）
次に、カバー１０について説明する。
図８はカバー１０を示す斜視図であり、図９はカバー１０を分解して示す斜視図である。
【００４４】
図８及び図９に示すように、カバー１０は、平面スイッチ１における最も表側に配置される透明なカバー本体１１と、カバー本体１１の裏側に配置され、図形や文字等の操作アイコン１２ｄがプリントされた被膜状の表示板１２と、表示板１２の裏側に配置され、図示しないトップケース２１Ｔに設けられる図示しない係止突起２１Ｔｊに対して係止される係止爪１３ｊが設けられた枠状のカバーブラケット１３と、を備える。
【００４５】
カバー本体１１は、裏側は全面が平らになっており、表側は、中央に、裏側の全面と略相似形状であって、操作アイコン１２ｄが表示された領域と略同じ大きさの、裏側の全面と平行な中央面１１ｃを備え、中央面１１ｃからカバー本体１１の周縁の四方に向けて傾斜するテーパ面１１ｔを有し、全体が扁平な略截頭四角錐体となっている。そして、前面板Ｗの表側Ｗ１の面からカバー本体１１の表側の中央面１１ｃまでの高さ寸法は、約１ｍｍ程度で設計される。
【００４６】
このように、体裁面となる前面板Ｗの表側Ｗ１の面からカバー本体１１の表側の中央面１１ｃまでは、テーパ面１１ｔにより、なだらかに連なるので、カバー１０が目立つことなく、すっきりとした外観が得られる。
さらに、中央面１１ｃの大きさが、操作アイコン１２ｄが表示された領域と略同じであるので、カバー本体１１の中央面１１ｃに、表示板１２の操作アイコン１２ｄを透過させつつ際立たせて表示でき、視認しやすいとともに、美観に優れる。
【００４７】
また、カバー本体１１は、カバー本体１１の裏側に配置される表示部２２ｄが、カバー本体１１の表側から視認できるようにするため、少なくとも中央面１１ｃの部分は透明（光透過率が高い）となっており、テーパ面１１ｔにおける少なくとも固定ネジ４０と重なる部分は、固定ネジ４０がカバー本体１１の表側から目立たないようにするため、不透明（光透過率が低い）となっている。なお、カバー本体１１の全体を透明にしてもよく、中央面１１ｃを透明にしてテーパ面１１ｔを不透明にしてもよく、カバー本体１１の周縁を外周に沿って不透明にして中央面１１ｃに近づくにつれて徐々に透明にしてもよい。
【００４８】
表示板１２は、表側に、全面に透明な両面テープが貼り付けられ、その両面テープの表側にカバー本体１１の裏側が貼り付けられる。
【００４９】
また、カバーブラケット１３は、表側に、周縁に沿って両面テープが貼り付けられ、その両面テープの表側に表示板１２の裏側が貼り付けられる。
【００５０】
このようにして、カバー本体１１、表示板１２及びカバーブラケット１３の各層は重なった状態で一体化され、カバー１０がサブアセンブリとなる。
【００５１】
（設置手順）
以下、図１１から図１９を参照しながら、前面板Ｗに平面スイッチ１を設置する作業について説明する。
【００５２】
（１）図１１に示すように、前面板Ｗに、センサユニット２０が収まる形状の開口部２を設ける。
また、開口部２近傍における前面板Ｗの表側Ｗ１であって、フレーム部３０に設けられた固定ネジ孔３６の位置に対応する位置に、固定ネジ４０を設ける場所の目印になるとともに、固定ネジ４０の頭部が表側Ｗ１から突出しないようにするための固定ネジ４０の頭部が収まる座グリ穴５０を設ける。例えば、２か所ある固定ネジ孔３６の間隔と同間隔で、前面板Ｗの表側Ｗ１に、座グリ穴５０を設ける。
なお、座グリ穴５０に換えて、座グリのない下穴のみとしてもよい。この場合、その下穴に対して前面板Ｗの表側Ｗ１から固定ネジ４０を締め込んでいくと、固定ネジ４０の頭部によって前面板Ｗの表側Ｗ１が潰れていき、固定ネジ４０の頭部が前面板Ｗに埋もれて、表側Ｗ１から突出しないようになる。
さらに、座グリ穴５０も下穴も設けないようにしてもよい。例えば、前面板Ｗが石膏ボードのようなものである場合、表側Ｗ１の、フレーム部３０における固定ネジ孔３６の位置に対応する位置に、例えば木ネジのような、ネジの先端が尖っていて軸の一部にネジが切られている構造の固定ネジ４０を直接捻じ込んでいくと、固定ネジ４０の頭部によって前面板Ｗの表側Ｗ１が潰れていき、固定ネジ４０の頭部が前面板Ｗに埋もれて、表側Ｗ１から突出しないようになる。
【００５３】
（２）次に、図１２に示すように、フレーム部３０を前面板Ｗの裏側Ｗ２における開口部２の縁部に配置するため、フレーム部３０を、前面板Ｗの表側Ｗ１から開口部２に挿入して通過させる。
【００５４】
（３）図１３に示すように、フレーム部３０の枠体３１の内形状を開口部２の形状に合わせるようにして、前面板Ｗの裏側Ｗ２における開口部２の縁部にフレーム部３０を配置する。
【００５５】
（４）図１４に示すように、固定ネジ４０を座グリ穴５０に向けて配置し、図１５に示すように、固定ネジ４０を前面板Ｗの表側Ｗ１から裏側Ｗ２に向けて捻じ込んで、固定ネジ４０をフレーム部３０の枠体３１に設けられた固定ネジ孔３６（図１２参照）に螺合することによってフレーム部３０を前面板Ｗに固定する。なお、先述のように、座グリ穴５０はなくてもよい。
【００５６】
（５）続いて、図１６及び図１７に示すように、センサユニット２０を開口部２に挿入し、センサユニット２０の裏側を、フレーム部３０における付勢部３４に当接させると同時に、センサユニット２０の周縁が開口部２の内側に嵌まるようにする。
【００５７】
（６）ここで、図１７及び図１８に示すように、位置決めネジ３５ｍを、センサユニット２０を構成するセンサケース２１に設けられた位置決めネジ挿通孔２１Ｔｈ及び位置決めネジ挿通孔２１Ｂｈ（図５参照）に挿入し、位置決めネジ孔３５ｆ（図６参照）に螺合する。
【００５８】
（７）そして、位置決めネジ孔３５ｆに対する位置決めネジ３５ｍの螺合量を調節することで、センサユニット２０を構成するトップケース２１Ｔの最も表側の面を、前面板Ｗの体裁面である表側Ｗ１の面と面一になるように、センサユニット２０の位置を調節できる。
例えば、位置決めネジ孔３５ｆに対して位置決めネジ３５ｍを右に回転させて螺合すると、位置決めネジ３５ｍの頭部と位置決めネジ孔３５ｆが設けられた受け部３３との距離が短くなり、それに伴い、位置決めネジ３５ｍの頭部が、付勢部３４の付勢力に抗して、センサユニット２０を表側から裏側に向けて押すので、前面板Ｗに対するセンサユニット２０の位置が移動する。
また、位置決めネジ孔３５ｆに対して位置決めネジ３５ｍを左に回転させて螺合すると、位置決めネジ３５ｍの頭部と位置決めネジ孔３５ｆが設けられた受け部３３との距離が長くなり、それに伴い、付勢部３４が、センサユニット２０を裏側から表側に向けて押して移動させる。
【００５９】
（８）最後に、図１８及び図１９に示すように、一体化されたカバー１０の係止爪１３ｊを、係止突起２１Ｔｊの近傍に挿入口Ｊに挿入し、カバー１０を前面板Ｗの表側Ｗ１の面に対して略平行にスライドさせて、係止爪１３ｊと係止突起２１Ｔｊとが、表側から裏側をみたときに重なるようにして、係止する。この際、前面板Ｗの表側Ｗ１の面が鉛直な壁面である場合は、Ｌ字状の係止爪１３ｊの先端が鉛直下向きになるようにすると、カバー１０の自重が係止爪１３ｊを介して係止突起２１Ｔｊにかけられる。
【００６０】
図１９は、平面スイッチ１が設置された前面板Ｗの斜視図である。
このようにして、前面板Ｗに対して、平面スイッチ１を簡単に設置できる。
また、平面スイッチ１は、図１９に示すように、体裁面である前面板Ｗの表側Ｗ１の表面から、カバー１０の厚み分（例えば約１ｍｍ程度）だけしか突出しないので、すっきりとした外観となって見栄えがよく、ユーザの身体や他の物体と衝突しにくいので安全である。
さらに、表示部２２ｄが表側Ｗ１の表面とほぼ面一になるので、前面板Ｗの表側Ｗ１の表面と一体となっているような印象を与えることができ、美観に優れる。
【００６１】
以上、本発明の好ましい実施形態について詳述したが、本発明に係る平面スイッチは上述した実施形態に限定されるものではなく、特許請求の範囲に記載された本発明の要旨の範囲内において、種々の変形、変化が可能である。
【００６２】
例えば、上記では、平面スイッチ１がカバー１０を備える場合について示したが、これに限らず、開口部２をカバー１０で覆う代わりに、より厚みの小さい壁紙等のフィルムで開口部２を覆うようにしてもよい。
この場合、平面スイッチ１の部分だけ透明にした壁紙等を前面板Ｗの表側Ｗ１の面に貼り、センサユニット２０の光源やセンサユニット２０に設けられた操作アイコン１２ｄを印刷したハーフミラーのシートやプレートが透過できるようにする。
このようにすることで、夜間等の平面スイッチ１の周囲が暗い時にセンサユニット２０に設けられた光源を点灯させると、操作アイコン１２ｄが浮かび上がるような演出ができ、斬新なスイッチを構成できる。
【００６３】
本発明によれば、前面板に設けられた開口部に設置される平面スイッチが、センサユニットと、センサユニットを開口部に対して取り付けるフレーム部と、フレーム部を前面板に固定する固定部材と、を備え、フレーム部は、前面板の裏側における開口部の縁部に対して固定部材で固定されるので、フレーム部が前面板の表側に突出することがなく、前面板の表側の面に対して平面スイッチの表側の面を面一にでき、美観に優れる。
【００６４】
本発明によれば、フレーム部は、開口部の縁部に当接する枠体と、枠体から前記開口部の奥側に延びるアーム部と、アーム部から前面板とほぼ平行に開口部の中央側に延在する受け部と、受け部上に設けられ、センサユニットを開口部側に付勢する付勢部と、開口部に対するセンサユニットの位置を調節自在に、センサユニットを付勢部の付勢力に抗して受け部に係留する係留部と、を備えるので、前面板の厚みの違いに影響を受けることなく、前面板の表側の表面に対する平面スイッチ本体の位置を決めることができ、前面板の表側の面に対して平面スイッチの表側の面を面一にできる。
【００６５】
本発明によれば、フレーム部は、少なくとも枠体の対向する辺に一対設けられたアーム部と、それぞれのアーム部から延在する受け部と、それぞれの受け部上に設けられた付勢部と、を備えるので、センサユニットの位置を三次元的に調節でき、前面板の裏側の面と表側の面が平行でなくても、前面板の表側の面に対して平面スイッチの表側の面を面一にできる。
また、フレーム部が、センサユニットを前面板に取り付ける機能と、前面板に対するセンサユニットの位置を調節する機能の両機能を兼ねることができる。
【００６６】
本発明によれば、付勢部は、受け部に固定される固定部と、固定部の両端に設けられた弾性部と、を備える板バネであるので、一つの板バネから、一つの固定部と二つの弾性部を形成でき、付勢部を簡単な構造にして、平面スイッチの厚みを抑えることができ、平面スイッチを狭隘な壁にも設置できる。
【００６７】
本発明によれば、係留部は、位置決めネジと、受け部に設けられ、位置決めネジが螺合される位置決めネジ孔と、を備え、センサユニットには、位置決めネジを通す位置決めネジ挿通孔が位置決めネジ孔に対応する位置に設けられており、センサユニットの開口部に対する位置が、フレーム部の位置を基準として、位置決めネジの位置決めネジ孔に対する螺合量で調節されるので、前面板の厚み等に影響されることなく、前面板の裏側に固定されたフレーム部の位置に対してセンサユニットの位置決めができる。
【００６８】
本発明によれば、固定部材は固定ネジであり、枠体には、固定ネジを螺合させる固定ネジ孔が設けられており、フレーム部は、前面板の裏側に配置された枠体の固定ネジ孔に対して前面板の表側から固定ネジを螺合させることで前面板に固定されるので、平面スイッチを構成するフレーム部を前面板の表側から簡単に取り付けできる。
【００６９】
本発明によれば、開口部近傍における前面板の表側であって、フレーム部に設けられた固定ネジ孔の位置に対応する位置に、固定ネジの頭部が収まる座グリ穴が設けられるので、固定ネジを設ける場所の目印になるとともに、固定ネジの頭部を収容して表側から突出しないようにできる。
【００７０】
本発明によれば、センサユニットは、センサケースと、センサケース内に収容される表示板と、センサケース内に収容される静電容量センサと、を備えるので、センサユニットをサブアセンブリとでき、平面スイッチを組み立てやすい。
【符号の説明】
【００７１】
１          平面スイッチ
２          開口部
１２        表示板
２０        センサユニット
２１        センサケース
２１Ｂｈ    位置決めネジ挿通孔
２４ｐ      静電容量センサ
３０        フレーム部
３１        枠体
３２        アーム部
３３        受け部
３４        付勢部
３５        係留部
３５ｆ      位置決めネジ孔
３５ｍ      位置決めネジ
３６        固定ネジ孔
３７        固定部
３８        弾性部
４０        固定ネジ（固定部材）
５０        座グリ穴
Ｗ          前面板
Ｗ１        表側
Ｗ２        裏側
【図１】
2018028997.tif 000003
【図２】
2018028997.tif 000004
【図３】
2018028997.tif 000005
【図４】
2018028997.tif 000006
【図５】
2018028997.tif 000007
【図６】
2018028997.tif 000008
【図７】
2018028997.tif 000009
【図８】
2018028997.tif 000010
【図９】
2018028997.tif 000011
【図１０】
2018028997.tif 000012
【図１１】
2018028997.tif 000013
【図１２】
2018028997.tif 000014
【図１３】
2018028997.tif 000015
【図１４】
2018028997.tif 000016
【図１５】
2018028997.tif 000017
【図１６】
2018028997.tif 000018
【図１７】
2018028997.tif 000019
【図１８】
2018028997.tif 000020
【図１９】
2018028997.tif 000021